(57)【要約】      （修正有）【課題】化粧カバーによる間隙の閉塞でカーテンボックスの見栄えを良くするとともに、埃の侵入を防止するカーテンボックスの化粧カバー取付構造を提供する。【解決手段】カーテンボックス本体１の側板３に化粧側板６を取り付けたときに、上記化粧側板６の下端部と上記側板３の下端部との間に生じた開口部９を、化粧カバー１０によって閉塞するようにしたカーテンボックスの化粧カバー取付構造であって、上記化粧カバー１０を上記開口部９へ嵌合して固定した。なお、カーテンボックス本体の側板３の上端と化粧側板６の上端を係合させた状態で化粧側板６を回動させ、化粧側板の中間部を上記側板の下端に形成した係止部に係止させて固定するとともに、化粧カバーの上下には水平の嵌合縁１６、１７を形成し、これら嵌合縁を上記開口部へ嵌合して固定するのが好ましい。【選択図】      図３
2004194884.tif 000002
【特許請求の範囲】
【請求項１】
カーテンボックス本体の側板に化粧側板を取り付けたときに、上記化粧側板の下端部と上記側板の下端部との間に生じた開口部を、化粧カバーによって閉塞するようにしたカーテンボックスの化粧カバー取付構造であって、
上記化粧カバーを上記開口部へ嵌合して固定した
ことを特徴とするカーテンボックスの化粧カバー取付構造。
【請求項２】
前記カーテンボックス本体の側板の上端と前記化粧側板の上端を係合させた状態で化粧側板を回動させ、化粧側板の中間部を上記側板の下端に形成した係止部に係止させて固定するとともに、前記化粧カバーの上下には嵌合縁を形成し、これら嵌合縁を上記開口部へ嵌合して固定したことを特徴とする、請求項１記載のカーテンボックスの化粧カバー取付構造。
【請求項３】
前記化粧カバーの一方の嵌合縁の先端を、前記化粧側板の裏側に突出した係止縁に係止させ、他方の嵌合縁を、上記化粧側板から裏側に延出されて上記開口部をはさんで上記側板の下方に形成された化粧側板の受け縁に係止させた、請求項２に記載のカーテンボックスの化粧カバー取付構造。
【請求項４】
前記化粧カバーの上下から裏側に形成した係止縁の先端を、前記化粧側板の裏側に形成された上下の係止部に係止させた、請求項１又は２に記載のカーテンボックスの化粧カバー取付構造。
【発明の詳細な説明】
【０００１】
【発明が属する技術分野】
本発明は、カーテンボックスと化粧側板との間にできた開口部に化粧カバーを取付けるカーテンボックスの化粧カバー取付構造に関する。
【０００２】
【従来の技術】
従来のカーテンボックスは、カーテン取付け部材の前面に垂下片を設けて、この垂下片へ着脱片により正面カバー部材を取付けたもので、上記垂下片の下端部と正面カバーの下端部との間には開口部が開口している。（例えば、特許文献１参照）
【０００３】
【特許文献】
実公平７−２９９１４号公報（第２頁〜第３頁、図１及び図３）
【０００４】
【発明が解決しようとする課題】
しかしながら、従来のカーテンボックスは、垂下片の下端部と正面カバーの下端部との間に開口部が開口しているため、見栄えが悪くて、開口部から埃が侵入して内部に溜まる問題点がある。
【０００５】
本発明は前記問題点を解消し、化粧カバーによる間隙の閉塞でカーテンボックスの見栄えを良くするとともに、埃の侵入を有効に防止することができるカーテンボックスの化粧カバー取付構造を提供することをその課題とする。
【０００６】
【課題を解決するための手段】
本発明は、上記問題点を解決するため、本発明に係るカーテンボックスの化粧カバー取付構造は、カーテンボックス本体の側板に化粧側板を取り付けたときに、上記化粧側板の下端部と上記側板の下端部との間に生じた開口部を、化粧カバーによって閉塞するようにしたカーテンボックスの化粧カバー取付構造であって、上記化粧カバーを上記開口部へ嵌合して固定したことを特徴とする。
【０００７】
なお、前記カーテンボックス本体の側板の上端と前記化粧側板の上端を係合させた状態で化粧側板を回動させ、化粧側板の中間部を上記側板の下端に形成した係止部に係止させて固定するとともに、前記化粧カバーの上下には嵌合縁を形成し、これら嵌合縁を上記開口部へ嵌合して固定すればよい。
【０００８】
また、前記化粧カバーの一方の嵌合縁の先端を、前記化粧側板の裏側に突出した係止縁に係止させ、他方の嵌合縁を、上記化粧側板から裏側に延出されて上記開口部をはさんで上記化粧側板の下方に形成された受け縁に係止させてもよい。
【０００９】
さらに、前記化粧カバーの上下から裏側に形成した係止縁の先端を、前記側板の裏側に形成された上下の係止部に係止させてもよい。
【００１０】
【発明の実施の形態】
以下図面について本発明に係るカーテンボックスの実施形態を説明する。
【００１１】
図１〜図４に示す実施形態において符号１は、カーテンボックスを示す。このカーテンボックス１は、カーテンボックス本体２の側板３に化粧側板６を取付けて構成したものであり、上記側板３の下端突縁部７と、化粧側板６の下端部から裏側に延出されて上記側板の下方に形成された受け縁８との間には開口部９が形成されている。この開口部９は化粧カバー１０で閉塞されている。
【００１２】
上記カーテンボックス本体２は、天板１１と正面側の側板３と背面側の側板１２とで形成され、天板１１の下面には複数のカーテンレール１３が平行に設けられ、側板３の上部には下向き円弧の係止片４ｂが、下端から外方に突出した突縁部７より少し上側の部分には上向きの係止溝５ｂが形成されている。
【００１３】
上記化粧側板６は、上縁部１４の先端に下向き円弧の係止片４ｂに対応する円弧状の係止片４ａを設け、裏面の中間部分に側板３の係止溝５ｂに係合する下向きの係止縁５ａを設けるとともに、係止縁５ａの下側には係止縁１５が形成されている。
【００１４】
上記化粧カバー１０は、開口部９に対応する寸法に形成して、その裏側上下に、開口部９に嵌合する嵌合縁１６、１７が形成されている。そして、上側の嵌合縁１６は、図３、図４に示す通り下向き傾斜部の先が水平となるように形成して、先端には化粧側板６に設けた係止縁１５に係合する係止部１８と、係止縁１５に当接する止片１９とが設けられている。また、上側の嵌合縁１６は、図３、図４に示す通り、一部分が水平でその先が上向き傾斜するように形成され、水平部と傾斜部の境に化粧側板６の下端部８の端縁に係合する係止部２０が設けられ、先端は開口部９に嵌合時に化粧側板６の裏面へ当るようにしてある。
【００１５】
前記構成のカーテンボックス１は、カーテンボックス本体２の側板３に設けた上側の係止片４ｂへ、図２に示すように化粧側板６に設けた上側の係止片４ａを係合すると、係止片４ｂ、４ａが円弧状をなしているため、これらを支点として化粧側板６を側板３へ向かって回動させ、下部の係止縁５ａを図３に示す通り側板３の係止溝５ｂに係合させ、化粧側板６をカーテンボックス本体２に離脱しないように取付けることができる。
【００１６】
前記のように形成したカーテンボックス１は、カーテンボックス本体２における側板３の突縁部７と、化粧側板６の下端部８との間に図３の通りの開口部９を生ずる。そこで、この開口部９に図３に示す通り化粧カバー１０を対応させて、矢印の方向へ移動させると化粧カバー１０の上下の嵌合縁１６、１７は開口部９に嵌め込み、化粧カバー１０の表面が図４に示す通り側板３の裏面と揃ったとき、上部の嵌合縁１６に設けた係止部１８は化粧側板６に設けた係止縁１５に係止し、止片１９は係止縁１５ａ、１５ｂに当接するとともに、下部の嵌合縁１７の途中に設けた係止部２０は化粧側板６における受け縁８に係合し、嵌合縁１７の先端は化粧側板６の裏面に当接して、化粧カバー１０をカーテンボックス１から離脱しないように取付けられる。
【００１７】
図５（ａ）（ｂ）は、化粧カバー１０を回動させて嵌合縁１６、１７を開口部９へ嵌合させる他の実施形態を示すものであり、この実施形態は化粧カバー１０の嵌合縁を、回動の中心となる下側の嵌合縁１７を短く、上側の嵌合縁１６を円弧状か、円弧を変形させた形状をなす長いものに形成して回動による嵌合を可能とする。そして、短い下側の嵌合縁１７は、下面に化粧側板６における受け縁８の端縁上に設けた先丸突条の係止部２２に係合する溝状の係止部２１を設け、上側の嵌合縁１６は円弧状をなし、先端が化粧側板６の裏面に突出した係止縁１５に支持されるようにする。なお、上記係止縁１５は嵌合縁１６の先端に当たる止片イと、側面に接する係止片ロとを有する構造としてある。又、嵌合縁１６の先端部には、係止片ロに係止するための鋸歯状の凹凸を形成してある。
【００１８】
前記構成の化粧カバー１０は、図５（ａ）に示す通り、下側の嵌合縁１７に設けた係止部２２を、化粧カバー１０の係止部２１に係合させて、化粧カバー１０を矢印の方向に押すと、化粧カバー１０は係止部２１を支点として回動し、上側の嵌合縁１６を間隙９へ嵌入させる。すると、嵌合縁１６の先端は係止縁１５の止片イに当接して止められ、嵌合縁１６の先端部凹凸と係止片ロが係止し、化粧カバー１０をその表面が側板３の裏面に揃う状態にカーテンボックス１へ取付ける。
【００１９】
図６（ａ）（ｂ）は、図５（ａ）（ｂ）に示す実施形態の一部分の変形例を示すものであり、この例においては、化粧カバー１０の下側の嵌合縁１７に設けた溝状の係止部２１とこれを係合させる受け縁８の突条状係止部２２とを係止させ、上側の嵌合縁１６の円弧を曲率が２つの円弧を接合して、その接合部が凹む形状にして化粧側板６の裏側から突出させた係止縁１５の係止片ロ２に係止させている。嵌合縁１６の先端には鋸歯状の凹凸を形成してあり、化粧カバー１０の回動により嵌合縁１６と１７を開口部９へ嵌合させて、化粧カバー１０をカーテンカバー１へ離脱しないように取付ける機能は同じである。
【００２０】
図７（ａ）（ｂ）は、さらに別の実施形態の一部分の変形例を示すものであり、この例においては、化粧カバー１０の下側の嵌合縁１７に設けた段状の係止部２１と受け縁８の上端係止部２２とを係止させ、上側の円弧状嵌合縁１６の先端側の上面に形成した溝部１６ａと化粧側板６の裏側から突出させた係止縁１５の係止片ロとを係止させている。この構成によれば、化粧カバー１０の係止が楽であるとともに、嵌合縁１６、１７の嵌合が確実で強固なものが得られる。
【００２１】
図８及び図９は、カーテンボックス本体２の側板３に、上縁部１４よりも上方へ延び出す延出部２３を設けた化粧側板６を係止片４ａ、４ｂと係止片５ａ、係止縁５ｂにより取付けたカーテンボックス１を示すものであり、このカーテンボックス１は、天井吊りで使用する場合、天板１１と天井（図面省略）との間に生じた隙間を延出部２３によって遮蔽させる。
【００２２】
上記カーテンボックス１は、カーテンボックス本体２における側板３の突縁部７と、化粧側板６の受け縁８との間に生ずる開口部９を、嵌合縁１６、１７と係止部１８、１８を別個に設けた化粧カバー１０により閉塞させる。即ち、化粧カバー１０は、裏面の上下に短い嵌合縁１６、１７を先端側ほど対応間隔が狭まるように僅かに傾斜させて設け、これら嵌合縁１６、１７の間に化粧側板６へ向って延びる一対の係止縁２４、２４を平行に設けて、これら係止縁２４、２４の先端に爪形の係止部１８、１８を相対するように設け、化粧側板６の裏面には係止部１８、１８に係止可能な係止部１５ａ、１５ｂを設ける。こうすると、嵌合縁１６、１７を間隙９へ嵌め込むのに伴って、係止部１８、１８が係止部１５ａ、１５ｂに向かって移動し、化粧カバー１０の表面が側板３の裏面と揃ったとき、係止部１５ａ、１５ｂに係止し、これによって化粧カバー１０はカーテンボックス１へ離脱しないように取付けられる。
【００２３】
図１０（ａ）（ｂ）（ｃ）は、カーテンボックス本体２における側板３の突縁部７と、化粧側板６の受け縁８との間に生ずる開口部９の寸法が大小に変化した場合に、この変化に対応して寸法を変化させた３種類の化粧カバ−１０を示すものであって、化粧カバー１０の寸法が大きくなるほどその上下に設ける嵌合縁１６、１７の間隔と、これら嵌合縁１６、１７の間に設ける係止縁２４、２４の間隔とを広げるようにすれば、間隙９の寸法には関係なく常に確実で安定した化粧カバー１０の取付けが行われる。
【００２４】
【発明の効果】
請求項１に係る発明によれば、化粧カバーを容易迅速にカーテンボックスへ取付けて開口部を閉塞することができるから、取付けの作業性に優れて、化粧カバーの表面が側板の裏面に揃う状態になるので、カーテンボックスの見栄えが良く、開口部へ埃が侵入して内部へ溜まることがない。
【００２５】
請求項２に係る発明によれば、カーテンボックスの側板と化粧側板との間の開口部には、化粧カバーの嵌合縁を嵌合させるようにしたので、化粧カバーの取りつけを容易に行なうことができる。
【００２６】
請求項３に係る発明によれば、化粧カバーの一方の嵌合縁の先端を化粧側板の係止縁に係止させ、他方の嵌合縁を、化粧側板の受け縁に係止させる構成であるから、化粧カバーの構造を簡単にすることができる。
【００２７】
請求項４に係る発明によれば、化粧カバーの上下から裏側に形成した係止縁の先端を、側板の裏側に形成された上下の係止部に係止させた構成であるから、化粧カバーの取付けは、一層強固確実に行われる。
【図面の簡単な説明】
【図１】本発明に係るカーテンボックスの化粧カバー取付構造を示す斜視図
【図２】カーテンボックス本体の側板へ化粧側板を取付ける状態の側面図
【図３】側板へ化粧側板を取付けてカーテンボックスを構成し、その側面板の下端部と化粧側板の下端部との間に生じた開口部へ化粧カバーを取付ける状態の側面図
【図４】開口部へ化粧カバーを取付けたカーテンボックスの側面図
【図５】（ａ）（ｂ）は図３及び図４に示す化粧カバーの一部変形例を開口部へ嵌合する状態と嵌合した状態の側面図
【図６】（ａ）（ｂ）は図３及び図４に示す化粧カバーの他の変形例を開口部へ嵌合する状態と嵌合した状態の側面図
【図７】（ａ）（ｂ）は図３及び図４に示す化粧カバーのさらに他の変形例を開口部へ嵌合する状態と嵌合した状態の側面図
【図８】カーテンボックス本体の側板化粧側板を取付け、その側面板の下端部と化粧側板の下端部との間に生じた開口部へ化粧カバーを取付ける状態の側面図
【図９】開口部へ化粧カバーを取付けたカーテンボックスの側面図
【図１０】（ａ）（ｂ）（ｃ）は、異寸法の開口部とこれに適合する化粧カバーとの各例を示す側面図
【符号の説明】
２  カーテンボックス本体
３  側板
６  化粧側板
９  開口部
１０  化粧カバー
１６、１７    嵌合縁
【図１】
2004194884.tif 000003
【図２】
2004194884.tif 000004
【図３】
2004194884.tif 000005
【図４】
2004194884.tif 000006
【図５】
2004194884.tif 000007
【図６】
2004194884.tif 000008
【図７】
2004194884.tif 000009
【図８】
2004194884.tif 000010
【図９】
2004194884.tif 000011
【図１０】
2004194884.tif 000012